(57)【要約】【課題】圧着時にクリンパとアンビルとが接触して破損することを防止した端子圧着装置を提供する。【解決手段】端子圧着装置１が、端子金具を搭載するアンビル３と、アンビル３と対向して昇降するクリンパ４と、を備え、アンビル３及びクリンパ４間に端子金具及び電線を挟みこんで端子金具に電線を圧着する。一対のガイド部６が、クリンパ４を挟んでクリンパ４の昇降をガイドする。アンビルホルダ５と、一対のガイド部６と、の間には、バネが設けられ、一対のガイド部６をクリンパ４側に付勢している。【選択図】図１
2013254687.tif 000002
【特許請求の範囲】
【請求項１】
端子金具を搭載するアンビルと、前記アンビルと対向して昇降するクリンパと、を備え、前記アンビル及び前記クリンパ間に前記端子金具及び電線を挟みこんで前記端子金具に電線を圧着する端子圧着装置において、
前記クリンパを挟んで前記クリンパの昇降をガイドする一対のガイド部をさらに備えた
ことを特徴とする端子圧着装置。
【請求項２】
前記クリンパと前記ガイド部との間に差し込まれる薄板と、
前記薄板を保持する保持部と、をさらに備えた
ことを特徴とする請求項１に記載の端子圧着装置。
【請求項３】
前記保持部が、一対の薄板をそれぞれ狭持できる一対の狭持部と、前記一対の狭持部間に伸縮自在に設けられ、前記一対の狭持部間の距離を調整する調整部と、を有する
ことを特徴とする請求項２に記載の端子圧着装置。
【請求項４】
前記アンビルを保持するアンビルホルダと、
一端が前記アンビルホルダに固定され、他端が前記ガイド部に取り付けられ、前記ガイド部を前記クリンパ側に付勢するバネと、をさらに備えた
ことを特徴とする請求項１〜３何れか１項に記載の端子圧着装置。
【請求項５】
前記アンビルホルダには、前記電線の長手方向に突出し、前記ガイド部に当接して前記ガイド部が傾くのを防止する位置決めピンが設けられている
ことを特徴とする請求項４に記載の端子圧着装置。
【発明の詳細な説明】
【技術分野】
【０００１】
本発明は、端子圧着装置に係り、特に、端子金具を搭載するアンビルと、アンビルと対向して昇降するクリンパと、を備え、アンビル及びクリンパ間に端子金具及び電線を挟み込んで端子金具に電線を圧着する端子圧着装置に関するものである。
【背景技術】
【０００２】
端子金具のかしめ片をかしめて、端子金具と電線とを互いに圧着する端子圧着装置としては、例えば、図７に示されたものが提案されている（特許文献１）。同図に示すように、端子圧着装置１は、端子金具を搭載するアンビル３と、アンビル３と対向して昇降するクリンパ４と、を備えている。上述したクリンパ４は、工場のフロア上などに設置される本体に対して昇降自在に取り付けられたラムに取り付けられていて、ラムと共に昇降する。
【０００３】
前述した構成の端子圧着装置１を用いて端子金具と電線とを互いに圧着する際には、まずアンビル３上に端子金具を搭載させる。次に、アンビル３とクリンパ４との間に位置する端子金具に電線を重ねる。その後、ラムと共にクリンパ４を下降させてアンビル３に近づけて端子金具のかしめ片をかしめて、電線と端子金具とを互いに圧着させる。
【０００４】
しかしながら、上述した端子圧着装置１においては、図示しない本体とラムのガタにより、図８に示すように、クリンパ４とアンビル３とのセンターＬ１、Ｌ２がずれてしまう。このため、圧着時にクリンパ４とアンビル３とが接触して破損する恐れがあった。
【先行技術文献】
【特許文献】
【０００５】
【特許文献１】特開２００１−２３００４３号公報
【発明の概要】
【発明が解決しようとする課題】
【０００６】
そこで、本発明は、圧着時にクリンパとアンビルとが接触して破損することを防止した端子圧着装置を提供することを課題とする。
【課題を解決するための手段】
【０００７】
上述した課題を解決するための請求項１記載の発明は、端子金具を搭載するアンビルと、前記アンビルと対向して昇降するクリンパと、を備え、前記アンビル及び前記クリンパ間に前記端子金具及び電線を挟みこんで前記端子金具に電線を圧着する端子圧着装置において、前記クリンパを挟んで前記クリンパの昇降をガイドする一対のガイド部をさらに備えたことを特徴とする端子圧着装置に存する。
【０００８】
請求項２記載の発明は、前記クリンパと前記ガイド部との間に差し込まれる薄板と、前記薄板を保持する保持部と、をさらに備えたことを特徴とする請求項１に記載の端子圧着装置に存する。
【０００９】
請求項３記載の発明は、前記保持部が、一対の薄板をそれぞれ狭持できる一対の狭持部と、前記一対の狭持部間に伸縮自在に設けられ、前記一対の狭持部間の距離を調整する調整部と、を有することを特徴とする請求項２に記載の端子圧着装置に存する。
【００１０】
請求項４記載の発明は、前記アンビルを保持するアンビルホルダと、一端が前記アンビルホルダに固定され、他端が前記ガイド部に取り付けられ、前記ガイド部を前記クリンパ側に付勢するバネと、をさらに備えたことを特徴とする請求項１〜３何れか１項に記載の端子圧着装置に存する。
【００１１】
請求項５記載の発明は、前記アンビルホルダには、前記電線の長手方向に突出し、前記ガイド部に当接して前記ガイド部が傾くのを防止する位置決めピンが設けられていることを特徴とする請求項４に記載の端子圧着装置に存する。
【発明の効果】
【００１２】
以上説明したように請求項１記載の発明によれば、一対のガイド部がクリンパを挟んでクリンパとアンビルのセンターが一致するようにクリンパの昇降をガイドするので、圧着時にクリンパとアンビルとが接触して破損することを防止することができる。
【００１３】
請求項２記載の発明によれば、クリンパと一対のガイド部との間に薄板が挟まれるので、クリンパと一対のガイド部との隙間が薄板により埋められ、より正確にクリンパをガイドすることができる。
【００１４】
請求項３記載の発明によれば、クリンパの幅に合わせて調整部により一対の狭持部間の距離を調整して、一対の薄板間の距離を調整することができる。
【００１５】
請求項４記載の発明によれば、バネによりガイド部を付勢しているため、一対のガイド部によりクリンパを押す力が強くなり過ぎることがなくなり、押す力が強すぎてクリンパが一対のガイド部間に嵌って昇降できないといった事態を防止することができる。
【００１６】
請求項５記載の発明によれば、位置決めピンによりバネの付勢力でガイド部によりクリンパを押し付ける際に一対のガイド部が斜めになることを防止できる。
【図面の簡単な説明】
【００１７】
【図１】第１実施形態における本発明の端子圧着装置を示す斜視図である。
【図２】図１に示す端子圧着装置を構成するアンビル及びクリンパの部分正面図である。
【図３】図１に示す端子圧着装置を構成する左ガイド部付近の部分正面図である。
【図４】第２実施形態における本発明の端子圧着装置を示す斜視図である。
【図５】図４に示すガイドクリアランス確認冶具の背面側から見た斜視図である。
【図６】図４に示すガイドクリアランス確認冶具の上面図である。
【図７】従来の端子圧着装置の一例を示す概略正面図である。
【図８】従来の問題点を説明するための図である。
【発明を実施するための形態】
【００１８】
第１実施形態
以下、第１実施形態における本発明の端子圧着装置について図１〜図３を参照して説明する。同図に示すように、端子圧着装置１は、端子金具２（図２）を搭載するアンビル３と、アンビル３と対向して昇降するクリンパ４と、アンビル３を保持するアンビルホルダ５と、アンビルホルダ５に設けられた一対のガイド部６と、を備え、アンビル３及びクリンパ４間に端子金具２及び電線９（図２）を挟み込んで端子金具２に電線９を圧着する装置である。端子金具２は、導電性を有する板金などから形成されており、相手側の端子金具が接続される図示しない電気接触部と、電線９が接続される電線接続部２１と、を備えている。
【００１９】
電線接続部２１は、図２（Ａ）に示すように、電線９が搭載される底壁２１ａと、この底壁２１ａの両縁それぞれに連なる一対のかしめ片２１ｂと、を備えている。一対のかしめ片２１ｂは、底壁２１ａに向かって曲げられて、電線９をかしめる即ち圧着する。上記電線９は、所謂被覆電線であって、導電性の芯線９ａと、芯線９ａを被覆する絶縁被覆９ｂと、から構成されている。
【００２０】
アンビル３は、金属製の型であり、図１などに示すように、電線９及び端子金具２が搭載され、クリンパ４と対向するアンビル本体部３１と、アンビル本体部３１の電線９の長手方向Ｙ１に連なる保持部３２と、を有している。アンビル本体部３１は、圧着前の一対のかしめ片２１ｂ間の距離よりもやや厚い、長手方向Ｙ１に延在する略板状に設けられている。
【００２１】
保持部３２は、アンビル本体部３１の長手方向Ｙ１一方側に連なり、アンビル本体部３１と直交する板状に設けられている。保持部３２は、電線９が搭載される幅狭の搭載部３２ａと、搭載部３２ａの底面側に連なる幅広の嵌込部３２ｂと、が設けられている。搭載部３２ａの幅は、アンビル本体部３１の厚みよりも若干大きめに設けられている。嵌込部３２ｂは、後述するアンビルホルダ５に設けた嵌込溝５２ｂに嵌め込まれ、これによりアンビル３がアンビルホルダ５に保持される。
【００２２】
クリンパ４は、アンビル本体部３１と直交する板状に設けられ、アンビル本体部３１が挿入されるかしめ溝４１が設けられている。かしめ溝４１は、クリンパ４の下端に設けられた昇降方向Ｙ３に延在する溝である。クリンパ４は、工場のフロア上などに設置される本体に対して昇降自在に取り付けられたラムに取り付けられていて、ラムと共に昇降する。
【００２３】
アンビルホルダ５は、図１に示すように、ホルダ本体５１と、左側ガイドプレート５２と、右側ガイドプレート５３と、を備えている。ホルダ本体５１は、略箱型に設けられ、その電線９の長手方向Ｙ１一方側の側面、左右方向Ｙ２側（＝長手方向Ｙ１及び昇降方向Ｙ３の双方向に直交する方向）の両側面には底面側の縁部に沿った張出部５１ａが設けられている。長手方向Ｙ１一方側の側面に設けた張出部５１ａには、アンビル３の嵌込部３２ｂを嵌め込む昇降方向Ｙ３に沿った嵌込溝５２ｂが設けられている。
【００２４】
左右側ガイドプレート５２、５３はそれぞれ、板状に形成され、ホルダ本体５１の左右方向Ｙ２側の両側面にボルトなどを用いて固定されている。左右側ガイドプレート５２、５３は、張出部５１ａより上側の左右側面に固定されている。左右側ガイドプレート５２、５３の厚みは、張出部５１ａの厚みとほぼ同じであり、左右側ガイドプレート５２、５３と張出部５１ａとの間に段差ができることがない。また、左右側ガイドプレート５２、５３は、ホルダ本体５１の長手方向Ｙ１一方側（図面手前側）の側面において張出部５１ａよりも上側の部分よりも長手方向Ｙ１一方側に突出するように設けられている。即ち、アンビル３は、左右側ガイドプレート５２、５３の間に位置づけられることとなる。
【００２５】
一対のガイド部６はそれぞれ、クリンパ４の左右方向Ｙ２（＝電線９の径方向）両側を挟んでクリンパ４の昇降をガイドする板状の部材である。一対のガイド部６は、図３に示すように、一対のバネ１０を介して左右側ガイドプレート５２、５３に取り付けられている。一対のバネ１０は、一端がアンビルホルダ５の左右側ガイドプレート５２、５３に固定され、他端が一対のガイド部６に取り付けられ、一対のガイド部６をそれぞれ左右方向Ｙ２に付勢する。また、ホルダ本体５１の長手方向Ｙ１一方側の側面において張出部５１ａよりも上側の部分には、一対のガイド部６の昇降方向Ｙ３上側に当接して一対のガイド部６の傾きを防止する位置決めピン１１が設けられている。図３に示すように、一対のガイド部６は、この位置決めピン１１と張出部５１ａとにより昇降方向Ｙ３両側が挟まれている。
【００２６】
次に、上述した構成の端子圧着装置１による圧着手順を図２を参照して説明する。まず、図２（Ａ）に示すように、アンビル３とクリンパ４とを離した状態で、アンビル３上にかしめる前の端子金具２を搭載し、その上に端部の絶縁被覆９ｂを除去した電線９を搭載する。その後、図２（Ｂ）に示すように、クリンパ４を下降させて、アンビル３に近づけると、クリンパ４は一対のガイド部６にガイドされて下降する。このとき、図示しない本体とラムのガタによりクリンパ４のセンターとアンビル３のセンターとがズレていた場合であっても、上記一対のガイド部６によりクリンパ４がアンビル３のセンターに近づく方向に押す力が加えられ、クリンパ４とアンビル３とのセンターが一致した状態で、クリンパ４が下降し、アンビル３に近づく。
【００２７】
上述した構成の端子圧着装置１によれば、図２に示すように、一対のガイド部６がクリンパ４の左右方向Ｙ２両側を挟んでクリンパ４とアンビル３のセンターが一致するようにクリンパ４の昇降をガイドするので、製品品質を維持したまま圧着時にクリンパ４とアンビル３とが接触して破損することを防止することができる。これによりクリンパ４とアンビル３の使用回数が向上し、両者の購入費用を低減することができる。また、クリンパ４及びアンビル３の交換回数が低減するので、作業者の工数も低減することができる。
【００２８】
また、上述した構成の端子圧着装置１によれば、図３に示すように、一対のバネ１０により一対のガイド部６を付勢しているため、一対のガイド部６によりクリンパ４を押す力が強くなり過ぎることがなくなり、押す力が強すぎてクリンパ４が一対のガイド部６間に嵌って昇降できないといった事態を防止することができる。
【００２９】
また、上述した構成の端子圧着装置１によれば、位置決めピン１１によりバネ１０の付勢力で一対のガイド部６によりクリンパ４を押し付ける際に一対のガイド部６が斜めになることを防止できる。
【００３０】
第２実施形態
次に、本発明の第２実施形態について図４〜図６を参照して説明する。図４〜図６において、図１〜図３について上述した第１実施形態と同等の部分には同一符号を付してその詳細な説明を省略する。同図に示すように、端子圧着装置１は、アンビル３と、クリンパ４と、アンビルホルダ５と、一対のガイド部６と、一対の薄板としてのシムテープ７と、一対のシムテープ７を保持するガイドクリアランス確認冶具８と、を備えている。アンビル３及びクリンパ４は、上述した第１実施形態と同様であるため、ここでは詳細な説明を省略する。
【００３１】
上述した第１実施形態では、左右側ガイドプレート５２、５３をホルダ本体５１と別体に設けていたが、第２実施形態では、左右側ガイドプレート５２、５３は設けておらず、ホルダ本体５１に、一対の突起部５１ｃが設けられている。一対の突起部５１ｃは、ホルダ本体５１の長手方向Ｙ１一方側（図面手前側）の側面において張出部５１ａよりも上側の部分に設けられていて、互いの間にアンビル３及びクリンパ４を位置付けている。上記一対のガイド部６は、この突起部５１ｃにバネ１０を介して取り付けられる。一対のガイド部６も、上述した第１実施形態と同様であるため、ここでは詳細な説明を省略する。
【００３２】
一対のシムテープ７は、金属製の薄板であり、クリンパ４と一対のガイド部６それぞれとの間に生じる隙間を埋めるために差し込まれる。ガイドクリアランス確認冶具８は、図４〜図６に示すように、一対のシムテープ７をそれぞれ狭持する一対の狭持部８１、８２と、これら一対の狭持部８１、８２が搭載されるベース８３と、一対の狭持部８１、８２間に伸縮自在に設けられ、一対の狭持部８１、８２間の距離を調整する調整部８４と、を有する。
【００３３】
狭持部８１は、図５及び図６に示すように、左右方向Ｙ２に重ねられた一対の狭持板８１ａ、８１ｂと、一対の狭持板８１ａ、８１ｂ同士を固定するネジ８１ｃと、から構成されている。シムテープ７は、その一端が一対の狭持板８１ａ、８１ｂに挟まれて保持され、他端が一対の狭持板８１ａ、８１ｂから長手方向Ｙ１に突出する。
【００３４】
狭持部８２は、図５及び図６に示すように、左右方向Ｙ２に重ねられた一対の狭持板８２ａ、８２ｂと、一対の狭持板８２ａ、８２ｂ同士を固定するネジ８２ｃと、から構成されている。シムテープ７は、その一端が一対の狭持板８２ａ、８２ｂに挟まれ保持され、他端が一対の狭持板８２ａ、８２ｂから長手方向Ｙ１に突出する。これら狭持部８１、８２は、左右方向Ｙ２に並べてベース８３上に配置されている。このベース８３には、図５に示すように、狭持板８１ｂがネジ８５により固定されている。
【００３５】
調整部８４は、図６に示すように円筒状に構成され、一端が伸長自在に設けられている。調整部８４は、狭持板８１ｂに貫通して固定され、その一端が狭持板８２ｂに突き当てられている。端子品番によりクリンパ４の幅が異なるため、クリンパ４の幅に合わせて、調整部８４の長さを調整することにより、狭持部８１、８２間の距離を調整して、シムテープ７間の距離を調整することができる。
【００３６】
ガイドクリアランス確認冶具８は、図４に示すように、シムテープ７をクリンパ４及びアンビルホルダ５側に向け、一対のガイド部６とクリンパ４との間にそれぞれシムテープ７を差し込むように狭持部８１、８２間の距離を調整して配置される。
【００３７】
上述した構成の端子圧着装置１によれば、クリンパ４と一対のガイド部６それぞれとの間にシムテープ７が挟まれるので、クリンパ４と一対のガイド部６との隙間がシムテープ７により埋められ、より一層正確にクリンパ４をガイドすることができる。
【００３８】
また、上述した構成の端子圧着装置１によれば、クリンパ４の幅に合わせて調整部８４により狭持部８１、８２間の距離を調整して、一対のシムテープ７間の距離を調整することができる。
【００３９】
なお、上述した実施形態では、一対のガイド部６がバネ１０を介してアンビルホルダ５に固定されていたが、本発明はこれに限ったものではない。一対のガイド部６を直接アンビルホルダ５に固定しても良いし、アンビルホルダ５に一体に形成するようにしてもよい。
【００４０】
また、上述した実施形態では、シムテープ７が一対設けられ、クリンパ４と一対のガイド部６との間にそれぞれ差し込まれていたが、本発明はこれに限ったものではない。クリンパ４と一対のガイド部６の一方との間にのみシムテープ７を差し込むようにしてもよい。
【００４１】
また、上述した実施形態では、バネ１０が一対設けられ、アンビルホルダ５と一対のガイド部６との間にそれぞれ設けられていたが、本発明はこれに限ったものではない。アンビルホルダ５と一対のガイド部６の一方との間のみにバネ１０を設けるようにしてもよい。
【００４２】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４３】
１  端子圧着装置
２  端子金具
３  アンビル
４  クリンパ
５  アンビルホルダ
６  ガイド部
７  シムテープ（薄板）
８  クリアランス確認冶具（保持部）
９  電線
１０  バネ
１１  位置決めピン
８１  狭持部
８２  狭持部
８４  調整部
Ｙ１  長手方向
【図１】
2013254687.tif 000003
【図２】
2013254687.tif 000004
【図３】
2013254687.tif 000005
【図４】
2013254687.tif 000006
【図５】
2013254687.tif 000007
【図６】
2013254687.tif 000008
【図７】
2013254687.tif 000009
【図８】
2013254687.tif 000010